(57)【特許請求の範囲】
【請求項１】
柔軟性が予め設定された値以上に劣化したボール状部材を選別するボール状部材選別用治具において、前記ボール状部材を載置する貫通孔である選別孔が開設された選別板と、前記選別孔に載置されたボール状部材の真上から鉛直線下向きに荷重を加える荷重手段とを具備しており、前記選別孔は、前記荷重手段がボール状部材の上に載った場合、ボール状部材の柔軟性が前記値以上であると、ボール状部材が貫通する大きさに設定されていることを特徴とするボール状部材選別用治具。
【請求項２】
前記荷重手段は、重りであり、前記選別孔に対応した重り保持孔を有する複数枚の板材を有する保持部材の重り保持孔の内部に保持されていることを特徴とする請求項１記載のボール状部材選別用治具。
【請求項３】
前記重りは、少なくともボール状部材と接触する部分が球面になっていることを特徴とする請求項１又は２記載のボール状部材選別用治具。
【請求項４】
前記選別板と保持部材との間には、保持部材の選別板に対する位置決めを行う位置決め手段が設けられていることを特徴とする請求項２又は３記載のボール状部材選別用治具。
【請求項５】
前記荷重手段は、板材の一部を下向きに凸に形成した荷重部であることを特徴とする請求項１記載のボール状部材選別用治具。
【請求項６】
前記ボール状部材は、発電設備の復水器の内部を洗浄する洗浄ボールであることを特徴とする請求項１、２、３、４又は５記載のボール状部材選別用治具。
【発明の詳細な説明】
【０００１】
【発明の属する技術分野】
本発明は、例えば発電設備の復水器の内部を洗浄する洗浄ボールのうち、柔軟性が予め設定された値以上に劣化したものを選別するボール状部材選別用治具に関する。
【０００２】
【従来の技術】
火力発電所、原子力発電所等の水蒸気でタービンを回転させるタイプの発電設備には、前記水蒸気を水に戻すための復水器が設けられている。この復水器は、例えば内径が２４．４ｍｍの細管を有している。この細管の内部に海水等を通水させて、細管の外部を通過する水蒸気を冷却することで、水蒸気を水に戻しているのである。
【０００３】
かかる復水器の細管は、内部にゴミ等が溜まると復水の効率が低下するため、定期的、例えば１日に２時間の間、洗浄ボールを通過させている。この洗浄ボールは、直径が２７ｍｍの例えば天然ゴムからなるボール状部材である。
【０００４】
【発明が解決しようとする課題】
しかしながら、洗浄ボールによる細管の洗浄に際しては、直径が２５・０ｍｍ以下になった洗浄ボールを選別板にて判定していた。このため、直径は前記基準を満たすが、柔軟性が大きくなった洗浄ボールを除外することはできなかった。この柔軟性が大きくなった洗浄ボールの除外は、多大な作業時間を必要とする作業員の官能検査によっているのが現状である。このため、まだ使用できるにも関わらず除外されたり、もう使用できないのにも関わらず除外されないという問題の発生が考えられていた。
【０００５】
本発明は上記事情に鑑みて創案されたものであって、短い作業時間でよく、確実に柔軟性の観点から使用できる洗浄ボールと使用できない洗浄ボールとを選別することができるボール状部材選別用治具を提供することを目的としている。
【０００６】
【課題を解決するための手段】
本発明に係るボール状部材選別用治具は、柔軟性が予め設定された値以上に劣化したボール状部材を選別するボール状部材選別用治具において、前記ボール状部材を載置する貫通孔である選別孔が開設された選別板と、前記選別孔に載置されたボール状部材の真上から鉛直線下向きに荷重を加える荷重手段とを備えており、前記選別孔は、前記荷重手段がボール状部材の上に載った場合、ボール状部材の柔軟性が前記値以上であると、ボール状部材が貫通する大きさに設定されている。
【０００７】
また、前記荷重手段は、重りであり、前記選別孔に対応した重り保持孔を有する複数枚の板材を有する保持部材の重り保持孔の内部に保持されている。
【０００８】
また、前記重りは、少なくともボール状部材と接触する部分が球面になっているのが望ましい。
【０００９】
また、前記選別板と保持部材との間には、保持部材の選別板に対する位置決めを行う位置決め手段が設けられていることが望ましい。
【００１０】
なお、前記荷重手段は、板材の一部を下向きに凸に形成した荷重部であってもよい。
【００１１】
さらに、前記ボール状部材は、発電設備の復水器の内部を洗浄する洗浄ボールである。
【００１２】
【発明の実施の形態】
図１は本発明の第１の実施の形態に係るボール状部材選別用治具を構成する保持部材の概略的斜視図、図２は本発明の第１の実施の形態に係るボール状部材選別用治具を構成する保持部材の概略的断面図、図３は本発明の第１の実施の形態に係るボール状部材選別用治具を構成する選別板の概略的平面図、図４は本発明の第１の実施の形態に係るボール状部材選別用治具によるボール状部材の選別作業を示す概略的断面図、図５は本発明の第１の実施の形態に係るボール状部材選別用治具を構成する保持部材の下側板材の要部の概略的断面図、図６は本発明の第１の実施の形態に係るボール状部材選別用治具によって柔軟性が予め設定された値以上に劣化して軟らかくなったボール状部材が選別される原理を示す概略的断面図、図７は本発明の第１の実施の形態に係るボール状部材選別用治具によって柔軟性が予め設定された値以下であるボール状部材が選別される原理を示す概略的断面図である。
【００１３】
また、図８は本発明の第２の実施の形態に係るボール状部材選別用治具を構成する保持部材の概略的断面図、図９は本発明の第３の実施の形態に係るボール状部材選別用治具を構成する保持部材の要部の概略的断面図、図１０は本発明の第３の実施の形態に係るボール状部材選別用治具を構成する保持部材の要部の概略的断面図、図１１は本発明の第４の実施の形態に係るボール状部材選別用治具を構成する保持部材の図面であって、同図（Ａ）は荷重部材である荷重部の概略的平面図、同図（Ｂ）は荷重部の概略的側面図、同図（Ｃ）は柔軟性が予め設定された値以上に劣化して軟らかくなったボール状部材を荷重部が選別する原理を示す概略的断面図、同図（Ｄ）は柔軟性が予め設定された値以下であるボール状部材を荷重部が選別する原理を示す概略断面図である。
【００１４】
本発明の実施の形態に係るボール状部材選別用治具は、柔軟性が予め設定された値以下に劣化したボール状部材４００を選別するボール状部材選別用治具であって、前記ボール状部材４００を載置する選別孔１１０が開設された選別板１００と、前記選別孔１１０載置されたボール状部材４００の上に載せられる荷重手段としての重り２００とを備えており、前記選別孔１１０は、前記重り２００がボール状部材４００の上に載った場合、ボール状部材４００の柔軟性が前記値以上であると、ボール状部材４００が貫通する大きさに設定されている。
【００１５】
まず、前記ボール状部材４００は、天然ゴムからなる直径２７ｍｍの球体である。このボール状部材４００は、発電設備の復水器に用いられる細管の内部を洗浄する洗浄ボールである。従って、その直径や柔軟性はある一定の基準を満たしていることが必要となる。しかし、このボール状部材４００は、使用を継続することによって徐々に直径は小さくなり、徐々に軟らかくなってくる。そして、柔軟性が予め設定した値以上に劣化すると、復水器の細管の洗浄には適さなくなる。
【００１６】
前記選別板１００は、ステンレス製の板材である。この選別板１００には、１０列１０段の合計１００個の選別孔１１０が開設されている。この選別孔１１０の直径は、２５ｍｍに設定されている。
【００１７】
また、かかる選別板１００の４つの縁部には、立壁１２０が設けられている。
【００１８】
さらに、前記選別板１００には、後述する保持部材３００に垂下された位置決め用のガイド３４０が嵌合する４組の一対のガイド孔１３０が開設されている（図３参照）。このガイド孔１３０は、保持部材３００の選別板１００に対する位置決めを行う位置決め手段の一部を構成している。また、このガイド孔１３０は、図３に示すように、一回の作業で選別されるボール状部材４００があるエリアにおいて、最上行（第１行）とその下の行（第２行）との間、かつ第３列の左右側である位置に設けられている。従って、１組の２つのガイド孔１３０は、保持部材３００の縁部に沿って設けられていることになる。
【００１９】
一方、前記保持部材３００は、図１及び図２に示すように、３枚の板材、すなわち上側板材３１０と、中間板材３２０と、下側板材３３０とを所定の間隔を設けて積層したものである。
【００２０】
上側板材３１０には、５列５段の合計２５個の円形の上側貫通孔３１１が開設されている。また、中間板材３２０には、５列５段の合計２５個の円形の中間貫通孔３２１が開設されている。さらに、下側板材３３０には、５列５段の合計２５個の円形の下側貫通孔３３１が開設されている。これら３枚の板材３１０、３２０、３３０は、それぞれの貫通孔３１１、３２１、３３１の中心を一致させて積層されている。
【００２１】
前記上側貫通孔３１１は、重り２００が抜け落ちないように、直径２５ｍｍに設定されている。また、中間貫通孔３２１は、重り２００が上側板材３１０と下側板材３３０との間を自由に移動することができるように、直径３０・０ｍｍに設定されている。
【００２２】
さらに、前記下側板材３３０は、薄いアルミニウム製の下板３３０Ａと、この下板３３０Ａの上に積層された例えばセラミックス製の上板３３０Ｂとを有している。下板３３０Ａには、直径３０ｍｍの貫通孔３３１Ａが、上板３３０Ｂには直径２５ｍｍの貫通孔３３１Ｂがそれぞれ開設されている。両貫通孔３３１Ａ、３３１Ｂを合わせたものが下側貫通孔３３１である。かかる下側貫通孔３３１からは、保持部材３００に保持された重り２００が７ｍｍ程度突出するようになっている。
【００２３】
前記重り２００は、クロムメッキが施されたスチール製のボールであって、直径が２８ｍｍに設定されている。重り２００は、ボールであるから、保持部材３００の中でどのように移動しても、ボール状部材４００に接触する部分は、必ず球面となる。この重り２００を保持する保持部材３００の重り保持孔は、前記上側貫通孔３１１、中間貫通孔３２１及び下側貫通孔３３１とから構成されている。
【００２４】
保持部材３００を構成する各板材３１０、３２０、３３０の間には４本のボルト３５０が通されており、このボルト３５０には各板材３１０、３２０、３３０の間の寸法を調整するためのナットが螺合されている。このナットのボルト３５０に対する螺合位置を変更することによって、各板３１０、３２０、３３０の間の寸法を変更することができる。ボール状部材４００の大きさが変更になった場合や、柔軟性の良否を決定する値が変更になった場合等には、大きさや重量の異なる重り２００を入れる必要があるが、この場合には、各板３１０、３２０、３３０の間の寸法を変更することで対応することができる。
【００２５】
さらに、この保持部材３００には、前記ガイド孔１３０に嵌合するための一対のガイド３４０が下側板材３３０から突出している。前記ガイド３４０は、保持部材３００の選別板１００に対する位置決めを行う位置決め手段の一部を構成している。また、この保持部材３００の上側板材３１０には、保持部材３００を把持するための下向き略凹字形状の一対の把手３１２が設けられている。
【００２６】
このように構成されたボール状部材選別用治具の使用手順について説明する。まず、１００個程度のボール状部材４００を選別板１００の上に載せる。選別板１００を揺することによって、１００個のボール状部材４００が選別板１００のそれぞれ別の選別孔１１０に載置される。選別板１００の上に載せたボール状部材４００が１０１個以上であった場合には、選別孔１１０に載らなかったものを取り除き、９９個以下であった場合には、ボール状部材４００が載らなかった選別孔１１０にボール状部材４００を載せる。
【００２７】
１００個のボール状部材４００が載った選別板１００のガイド孔１３０に、保持部材３００のガイド３４０をガイド孔１３０に嵌合させて載せる。すると、２５個のボール状部材４００の真上に、保持部材３００が保持している重り２００が載ることになる。従って、重り２００による荷重は、ボール状部材４００に対して鉛直線下方向に加わることになる。
【００２８】
ここで、柔軟性が予め設定された値以上に劣化していたボール状部材４００には、重り２００の重さが加わることにより、選別板１００の選別孔１１０を貫通して下側に抜け落ちる（図６参照）。しかし、柔軟性が予め設定された値以下のボール状部材４００は、重り２００を下側板材３３０の下側貫通孔３３１から浮き上がらせて、前記選別孔１１０を貫通することがない（図７参照）。
【００２９】
このように、１つの選別板１００に対して保持部材３００を４回載せることによって、１００個のボール状部材４００の柔軟性の観点から選別することができる。前記選別孔１１０を貫通したボール状部材４００は、再使用不可として廃棄し、選別孔１１０を貫通しなかったボール状部材４００は、再使用可として再利用する。
【００３０】
上述した実施の形態では、保持部材３００の選別板１００に対する位置決めは、保持部材３００に設けられたガイド３４０と、選別板１００に設けられたガイド孔１３０とで位置決め手段を構成したが、逆に、保持部材３００にガイド孔を、選別板１００にガイドをそれぞれ設けてもよい。また、前記一対のガイド１３０保持部材３００の縁部に沿って設けたが、保持部材３００の対角線上に設けてもよい。ただし、前者の方が目視で確認し易いというメリットがある。
【００３１】
また、前記ガイド３４０やガイド孔１３０に相当するものを設けず、選別板１００の縁部に設けた立壁１２０と、保持部材３００の外縁部とを一致させることで位置決め手段とすることも可能である。すなわち、直交する２つの立壁１２０で構成される角部と、保持部材３００の角部とを一致させることで、保持部材３００の選別板１００に対する位置決めを行うのである。これであれば、特にガイド３４０やガイド孔１３０を設ける必要がないというメリットがあるとともに、保持部材３００の選別板１００に対する位置決めが容易になるというメリットがある。
【００３２】
さらに、上述した実施の形態では、保持部材３００は、上側板材３１０、中間板材３２０及び下側板材３３０の３枚の板材を有しているものとしたが、図８に示すように、中間板材３２０に相当するものを省略することも可能である。ただし、この場合には、重り２００が最も下に位置する場合でも、最も上に位置する場合でも、上側板材３１０の上側貫通孔３１１と下側板材３３０の下側貫通孔３３１とに引っ掛かって保持部材３００から抜け落ちないようにすることが重要である。
【００３３】
さらに、上述した実施の形態では、荷重手段である重り２００は、球体であるとしたが、図９（Ａ）等に示すように、ボール状部材４００に接する部分が球面であるような、円柱状に形成された重り２００Ａを用いてもよい。また、図１０に示すように、ボール状部材４００に接する部分が平坦な円柱状に形成された重り２００Ｂであってもよい。要するに、重り２００Ａ、２００Ｂがボール状部材４００に加える荷重が鉛直線下方向に向かえばよいのである。
【００３４】
ボール状部材４００に接する部分が球面である円柱状の重り２００Ａは、図９に示すように、周面に２つのフランジ部２１０Ａ、２２０Ａが設けられている。かかる重り２００Ａを保持する保持部材３００Ａは、２枚の平行な板材３０１Ａ、３０２Ａを有している。両板材３０１Ａ、３０２Ａには、重り２００Ａを貫通させる貫通孔３０３Ａ、３０４Ａが開設されている。また、この両板材３０１Ａ、３０２Ａの貫通孔３０３Ａ、３０４Ａは、同一鉛直線上に中心があり、かつ同径に設定されている。前記フランジ部２１０Ａは上側の板材３０１Ａの上に、前記フランジ部３２０Ａは下側の板材３０２Ａの下にそれぞれ位置しており、重り２００Ａが保持部材３００Ａから抜け落ちないように保持している。かかる保持部材３００Ａに保持された重り２００Ａは、２枚の平行な板材３０１Ａ、３０２Ａにそれぞれ開設された貫通孔３０３Ａ、３０４Ａが同一鉛直線上に中心があり、かつ同径に設定されているため、鉛直線に沿ってのみ移動可能になっている。
【００３５】
柔軟性が予め設定された値以上に劣化したボール状部材４００であると、図９（Ｃ）に示すように、重り２００Ａからの荷重によってボール状部材４００は、選別板１００の選別孔１１０を抜け落ちる。しかし、前記値以下のボール状部材であると、図９（Ｂ）に示すように、ボール状部材４００は重り２００Ａを持ち上げて、選別板１００の選別孔１１０からは抜け落ちることがない。
【００３６】
また、ボール状部材４００に接する部分が平坦な円柱状の重り２００Ｂも、前記重り２００Ａと同様に、図１０（Ａ）等に示すように、周面に２つのフランジ部２１０Ｂ、２２０Ｂが設けられている。かかる重り２００Ｂを保持する保持部材３００Ｂも２枚の平行な板材３０１Ｂ、３０２Ｂを有し、この板材３０１Ｂ、３０２Ｂに重り２００Ｂを貫通させる貫通孔３０３Ｂ、３０４Ｂが開設され、この貫通孔３０３Ｂ、３０４Ｂは同一鉛直線上に中心があり、かつ同径に設定されていることは、上述したものと同様である。異なる点は、ボール状部材４００に接する部分が球面か平坦面かという点のみである。
【００３７】
柔軟性が予め設定された値以上に劣化したボール状部材４００であると、図１０（Ｃ）に示すように、重り２００Ｂからの荷重によってボール状部材４００は、選別板１００の選別孔１１０を抜け落ちる。しかし、前記値以下のボール状部材であると、図１０（Ｂ）に示すように、ボール状部材４００は重り２００Ｂを持ち上げて、選別板１００の選別孔１１０からは抜け落ちることがない。
【００３８】
また、上述した実施の形態では、荷重手段としてボール状の重り２００や円柱状の重り２００Ａ、２００Ｂを例に挙げたが、この荷重手段は、前記選別孔１００に載置されたボール状部材４００の真上から鉛直線下向きに荷重を加えるものであればよい。例えば、図１１に示すように、例えばアルミニウム板である板材２０１Ｃの裏面側に向かって凸になった荷重部２００Ｃであってもよい。この荷重部２００Ｃは、図１１（Ａ）に示すように、一枚の弾性を有する板材２０１Ｃに４つの扇形の打抜き部を形成し、残った十字型のものを下向きに凸にしたものである。この荷重部２００Ｃは、板材２０１Ｃを選別板１００の選別孔１１０に載ったボール状部材４００の上に載せたとき、ボール状部材４００の柔軟性が予め設定された値以下であると、すなわちボール状部材４００がまだ使用できる状態であると、上向きに凹んでボール状部材４００を選別板１００の選別孔１１０から抜け落とさず（図１１（Ｄ）参照）、ボール状部材４００の柔軟性が予め設定された値以上に劣化したものであると、凹まずにボール状部材４００を前記選別孔１１０を抜け落とすようになっている（図１１（Ｃ）参照）。
【００３９】
さらに、ボール状部材４００として、発電設備の復水器の細管を洗浄する洗浄ボールを例に挙げたが、この種のボール状部材、例えば洗浄ボールを使用する設備等にも本発明に係るボール状部材選別用治具を適用することができることはいうまでもない。
【００４０】
【発明の効果】
本発明に係るボール状部材選別用治具は、柔軟性が予め設定された値以上に劣化したボール状部材を選別するボール状部材選別用治具において、前記ボール状部材を載置する貫通孔である選別孔が開設された選別板と、前記選別孔に載置されたボール状部材の真上から鉛直線下向きに荷重を加える荷重手段とを備えており、前記選別孔は、前記荷重手段がボール状部材の上に載った場合、ボール状部材の柔軟性が前記値以上であると、ボール状部材が貫通する大きさに設定されている。
【００４１】
従って、柔軟性が予め設定された値以上に劣化したボール状部材は、荷重手段によって加えられた荷重により選別板の選別孔を通過するので、柔軟性の面で劣化したものと劣化していないものとを確実に選別することができる。
【００４２】
また、前記荷重手段が、重りであり、前記選別孔に対応した重り保持孔を有する複数枚の板材を有する保持部材の重り保持孔の内部に保持されていると、保持部材を選別板の選別孔に載ったボール状部材の上に載せるだけでボール状部材を選別できるので非常に作業が簡単になる。
【００４３】
なお、前記重りは、少なくともボール状部材と接触する部分が球面になっているとボール状部材と重りとが接触する部分を点とすることができるので、一点に荷重を加えられて好都合である。
【００４４】
ところで、前記選別板と保持部材との間には、保持部材の選別板に対する位置決めを行う位置決め手段が設けられていると、確実にボール状部材の真上に荷重手段を載せることができるので、ボール状部材に鉛直線下向きの荷重を加えることができ、ボール状部材の確実な選別が可能になる。
【００４５】
また、前記荷重手段は、板材の一部を下向きに凸に形成した荷重部であってもよい。荷重手段がかかる荷重部であると、上述した重りのように、保持部材の内部に保持する必要がなくなるので、構成をより簡単にすることができる。
【００４６】
なお、前記ボール状部材が、発電設備の復水器の内部を洗浄する洗浄ボールであると、細管の洗浄に適さない柔軟性が予め設定値以上に劣化した洗浄ボールを除外することができるので、省資源、コストダウンの観点から望ましいだけでなく、前記復水器の洗浄を確実に行えるという効果がある。
【図面の簡単な説明】
【図１】本発明の第１の実施の形態に係るボール状部材選別用治具を構成する保持部材の概略的斜視図である。
【図２】本発明の第１の実施の形態に係るボール状部材選別用治具を構成する保持部材の概略的断面図である。
【図３】本発明の第１の実施の形態に係るボール状部材選別用治具を構成する選別板の概略的平面図である。
【図４】本発明の第１の実施の形態に係るボール状部材選別用治具によるボール状部材の選別作業を示す概略的断面図である。
【図５】本発明の第１の実施の形態に係るボール状部材選別用治具を構成する保持部材の下側板材の要部の概略的断面図である。
【図６】本発明の第１の実施の形態に係るボール状部材選別用治具によって柔軟性が予め設定された値以上に劣化して軟らかくなったボール状部材が選別される原理を示す概略的断面図である。
【図７】本発明の第１の実施の形態に係るボール状部材選別用治具によって柔軟性が予め設定された値以下であるボール状部材が選別される原理を示す概略的断面図である。
【図８】本発明の第２の実施の形態に係るボール状部材選別用治具を構成する保持部材の概略的断面図である。
【図９】本発明の第３の実施の形態に係るボール状部材選別用治具を構成する保持部材の要部の概略的断面図である。
【図１０】本発明の第３の実施の形態に係るボール状部材選別用治具を構成する保持部材の要部の概略的断面図である。
【図１１】本発明の第４の実施の形態に係るボール状部材選別用治具を構成する保持部材の図面であって、同図（Ａ）は荷重部材である荷重部の概略的平面図、同図（Ｂ）は荷重部の概略的側面図、同図（Ｃ）は柔軟性が予め設定された値以上に劣化して軟らかくなったボール状部材を荷重部が選別する原理を示す概略的断面図、同図（Ｄ）は柔軟性が予め設定された値以下であるボール状部材を荷重部が選別する原理を示す概略断面図である。
【符号の説明】
１００    選別板
１１０    選別孔
２００    重り
３００    保持部材
４００    ボール状部材
【図１】
0003919497.tif 000002
【図２】
0003919497.tif 000003
【図３】
0003919497.tif 000004
【図４】
0003919497.tif 000005
【図５】
0003919497.tif 000006
【図６】
0003919497.tif 000007
【図７】
0003919497.tif 000008
【図８】
0003919497.tif 000009
【図９】
0003919497.tif 000010
【図１０】
0003919497.tif 000011
【図１１】
0003919497.tif 000012